(57)【特許請求の範囲】
【請求項１】
第一防曇領域と、第二防曇領域と、前記第一防曇領域と前記第二防曇領域とを繋ぐくびれ防曇領域とを設け、前記くびれ防曇領域の単位面積あたりの発熱量を、前記第一防曇領域と前記第二防曇領域の単位面積あたりの発熱量よりも小さくなるように形成したことを特徴とする防曇ミラー。
【請求項２】
第一防曇領域と、第二防曇領域と、前記第一防曇領域と前記第二防曇領域とを繋ぐくびれ防曇領域とを設け、前記第一防曇領域の前記第二防曇領域に近接する側の端部領域の単位面積あたりの発熱量と、前記第二防曇領域の前記第一防曇領域に近接する側の端部領域の単位面積あたりの発熱量とを、前記第一防曇領域と前記第二防曇領域の、前記端部領域以外の近接しない非近接領域の単位面積あたりの発熱量よりも小さくなるように形成したことを特徴とする防曇ミラー。
【請求項３】
第一防曇領域と、第二防曇領域と、前記第一防曇領域と前記第二防曇領域とを繋ぐくびれ防曇領域とを設け、前記くびれ防曇領域の単位面積あたりの発熱量と、前記第一防曇領域の前記第二防曇領域に近接する側の端部領域の単位面積あたりの発熱量と、前記第二防曇領域の前記第一防曇領域に近接する側の端部領域の単位面積あたりの発熱量とを、前記第一防曇領域と前記第二防曇領域の、前記端部領域以外の近接しない非近接領域の単位面積あたりの発熱量よりも小さくなるように形成したことを特徴とする防曇ミラー。
【請求項４】
第一防曇領域と、第二防曇領域と、前記第一防曇領域と前記第二防曇領域とを繋ぐくびれ防曇領域とを設け、前記くびれ防曇領域の単位面積あたりの発熱量と、前記第二防曇領域の単位面積あたりの発熱量を、前記第一防曇領域の単位面積あたりの発熱量よりも小さくなるように形成したことを特徴とする防曇ミラー。
【請求項５】
前記第一防曇領域と前記第二防曇領域と前記くびれ防曇領域を、ヒータ線を配線して設け、前記第一防曇領域と前記第二防曇領域と前記くびれ防曇領域の単位面積あたりの発熱量を前記ヒータ線の配線密度によって調整したことを特徴とする請求項１〜４のいずれかに記載の防曇ミラー。
【発明の詳細な説明】
【技術分野】
【０００１】
本発明は、浴室や洗面化粧台等に取り付けられる防曇ミラーに関するものである。
【背景技術】
【０００２】
従来から、浴室や洗面化粧台等に取り付けられるミラーの裏側にヒータ線を張り巡らせて、ミラー表面に防曇領域を形成した防曇ミラーが提案されている（特許文献１参照）。
【０００３】
上記ヒータ線は、クランク状やコ字状にしたり蛇行させたりして、面状に張り巡らせて配線してある。上記ヒータ線は、防曇領域の単位面積当りの発熱量を一定とするために、防曇領域全範囲において、隣接の並行するヒータ線間の距離が一定となるように配線することが一般的である。
【先行技術文献】
【特許文献】
【０００４】
【特許文献１】特開平８−１４０７９９号公報
【発明の概要】
【発明が解決しようとする課題】
【０００５】
ヒータ線２を、例えば、人間の上半身の模様となるように配線する場合（図５（ａ）参照）、頭部の模様となる第一防曇領域３´と、首の模様となるくびれ防曇領域５´と、肩から腰にかけた部分の模様となる第二防曇領域４´とを形成することが考えられる。この第一防曇領域３´と第二防曇領域４´とは、くびれ防曇領域５´を介して繋がるようにヒータ線２が配線されている。
【０００６】
しかし、上述のように、防曇領域３´，４´，５´全範囲において、隣接の並行するヒータ線２間の距離が一定となるようにヒータ線２を張り巡らせて配線したのであっては、以下のような問題がある。
【０００７】
すなわち、第一防曇領域３´と第二防曇領域４´の間の距離が狭い場合に、くびれ防曇領域５´と第一防曇領域３´と第二防曇領域４´に配線されたヒータ線２からの熱が、くびれ防曇領域５´周りのヒータ線２を配線していない領域にも伝わってしまう。
【０００８】
そのため、ミラー表面には、図５（ｂ）に示すような防曇模様６´が形成されてしまって、第一防曇領域３´と第二防曇領域４´の間がくびれた防曇模様をはっきりと形成することが困難であるという問題があった。
【０００９】
そこで、本発明は、第一防曇領域と第二防曇領域の間がくびれた防曇模様をミラー表面にはっきりと形成することができる防曇ミラーを提供することを課題とする。
【課題を解決するための手段】
【００１０】
上記課題を解決するための本発明の防曇ミラーは、第一防曇領域と、第二防曇領域と、前記第一防曇領域と前記第二防曇領域とを繋ぐくびれ防曇領域とを設け、前記くびれ防曇領域の単位面積あたりの発熱量を、前記第一防曇領域と前記第二防曇領域の単位面積あたりの発熱量よりも小さくなるように形成したことを特徴とする。
【００１１】
また、上記課題を解決するための本発明の防曇ミラーは、第一防曇領域と、第二防曇領域と、前記第一防曇領域と前記第二防曇領域とを繋ぐくびれ防曇領域とを設け、前記第一防曇領域の前記第二防曇領域に近接する側の端部領域の単位面積あたりの発熱量と、前記第二防曇領域の前記第一防曇領域に近接する側の端部領域の単位面積あたりの発熱量とを、前記第一防曇領域と前記第二防曇領域の、前記端部領域以外の近接しない非近接領域の単位面積あたりの発熱量よりも小さくなるように形成したことを特徴とする。
【００１２】
また、上記課題を解決するための本発明の防曇ミラーは、第一防曇領域と、第二防曇領域と、前記第一防曇領域と前記第二防曇領域とを繋ぐくびれ防曇領域とを設け、前記くびれ防曇領域の単位面積あたりの発熱量と、前記第一防曇領域の前記第二防曇領域に近接する側の端部領域の単位面積あたりの発熱量と、前記第二防曇領域の前記第一防曇領域に近接する側の端部領域の単位面積あたりの発熱量とを、前記第一防曇領域と前記第二防曇領域の、前記端部領域以外の近接しない非近接領域の単位面積あたりの発熱量よりも小さくなるように形成したことを特徴とする。
【００１３】
また、上記課題を解決するための本発明の防曇ミラーは、第一防曇領域と、第二防曇領域と、前記第一防曇領域と前記第二防曇領域とを繋ぐくびれ防曇領域とを設け、前記くびれ防曇領域の単位面積あたりの発熱量と、前記第二防曇領域の単位面積あたりの発熱量を、前記第一防曇領域の単位面積あたりの発熱量よりも小さくなるように形成したことを特徴とする。
【００１４】
また、上記防曇ミラーにおいて、前記第一防曇領域と前記第二防曇領域と前記くびれ防曇領域を、ヒータ線を配線して設け、前記第一防曇領域と前記第二防曇領域と前記くびれ防曇領域の単位面積あたりの発熱量を前記ヒータ線の配線密度によって調整することが好ましい。
【発明の効果】
【００１５】
本発明の防曇ミラーは、第一防曇領域と第二防曇領域の間がくびれた防曇模様をミラー表面にはっきりと形成することができる。
【図面の簡単な説明】
【００１６】
【図１】本発明の第一実施形態の防曇ミラーを示し、（ａ）はミラー裏側のヒータ線の配線パターンの正面図であり、（ｂ）はミラー表面に形成される防曇模様を示す正面図である。
【図２】同上の防曇ミラーの側面断面図である。
【図３】本発明の第二実施形態の防曇ミラーのミラー裏側に配線したヒータ線の配線パターンを示す正面図である。
【図４】（ａ）〜（ｃ）は同上の防曇ミラーのミラー表面に形成される防曇模様を示す正面図である。
【図５】従来の防曇ミラーを示し、（ａ）はミラー裏側のヒータ線の配線パターンの正面図であり、（ｂ）はミラー表面に形成される防曇模様を示す正面図である。
【発明を実施するための形態】
【００１７】
以下、本発明の実施形態の一例を添付図面に基づいて説明する。
【００１８】
第一実施形態の防曇ミラー１は、図２に示すように、ミラー裏側に、ヒータ線２を配線したヒータユニット２０を固定し、そのヒータユニット２０を防水カバー１０で覆ったものからなる。ヒータユニット２０には、電力を供給するリード線８が接続されている。防曇ミラー１は、上下の受け金具１１で、浴室壁面７に取り付けられている。リード線８は、浴室壁面７に貫通して設けた孔から、浴室壁面７の裏側を通って、浴室天井裏に引き上げられている。また、図１（ａ）に示すように、ヒータ線２は、ターミナルボックス９内で結線されて、リード線８に接続されている。また、ヒータ線２は太さが均一なものであり、リード線８を介して電力が供給されて、ヒータ線２を中心とする一定の範囲に熱を伝達する。なお、防曇ミラー１は、洗面化粧台に取り付けられるようなものであってもよい。
【００１９】
ヒータ線２は、クランク状やコ字状にしたり蛇行させたりして、面状に張り巡らせてヒータユニット２０に配線してある。ヒータ線２を面状に張り巡らせた防曇領域の単位面積当りの発熱量を一定とするために、防曇領域全範囲において、ヒータ線２は、基本的には、隣接の並行するヒータ線２間の距離が一定となるように配線してある。ここで、単位面積当りの発熱量を一定とするために空けたヒータ線２間の一定の距離を基準ピッチとする。
【００２０】
続いて、本実施形態の防曇ミラーのヒータ線２の配線パターンについて、図１（ａ）を元に説明を行う。この配線パターンは、全体として、人間の上半身の模様となっている。以下においては、図１（ａ）におけるａ方向を上方向、ｂ方向を下方向、ｃ方向を右方向、ｄ方向を左方向として説明を行う。なお、上下方向が人間の身長方向を示し、左右方向が人間の横幅方向を示す。
【００２１】
本実施形態の配線パターンは、頭部の模様となるように配線された第一防曇領域３と、首の模様となるように配線されたくびれ防曇領域５と、肩から腰にかけた部分の模様となるように配線された第二防曇領域４とから構成される。第一防曇領域３とくびれ防曇領域５と第二防曇領域４とは、この順番で上から下に一列に並んでいる。ここで、第一防曇領域３は、第二防曇領域４よりも左右方向の幅が狭いものとなっている。そして、くびれ防曇領域５は、第一防曇領域３と第二防曇領域４よりも左右方向の幅が狭いものとなっている。また、上下方向の長さは、くびれ防曇領域５が第一防曇領域３より短く、第一防曇領域３が第二防曇領域４より短くなるように設定されている。くびれ防曇領域５は、首の模様となるように配線したものなので、第一防曇領域３と第二防曇領域４に比べると、上下方向の長さが短いものとなっている。
【００２２】
第一防曇領域３とくびれ防曇領域５と第二防曇領域４とは、それぞれ左右対称となるようにヒータ線２が配線されている。よって、以下においては、第一防曇領域３とくびれ防曇領域５と第二防曇領域４については、右半身の説明のみ行う。
【００２３】
第一防曇領域３とくびれ防曇領域５と第二防曇領域４とは、それぞれ、右半身の上半身の輪郭（頭頂部〜顔面側部〜えら〜顎〜首〜肩〜胴体側部〜腰）に沿ってヒータ線２が配線されている。ここで、この輪郭に沿って配線されるヒータ線２を、輪郭線２１，２２，２３とする。輪郭線２１は、第一防曇領域３の輪郭に配線されたヒータ線２であり、頭頂部〜顔面側部〜えら〜顎の輪郭に沿って配線されている。また、輪郭線２２は、くびれ防曇領域５の輪郭に配線されたヒータ線２であり、首の輪郭に沿って配線されている。また、輪郭線２３は、第二防曇領域４の輪郭に配線されたヒータ線２であり、肩〜胴体側部〜腰の輪郭に沿って配線されている。
【００２４】
これらの輪郭線２１，２２，２３の内側には、ヒータ線２が隣接して並行するように配線されている。ここで、この隣接して並行するように配線されるヒータ線２を、輪郭内側並行線２４，２５，２６とする。輪郭内側並行線２４は、第一防曇領域３の輪郭線２１の内側に隣接して並行するように配線されるヒータ線２である。また、輪郭内側並行線２５は、くびれ防曇領域５の輪郭線２２の内側に隣接して並行するように配線されるヒータ線２である。また、輪郭内側並行線２６は、第二防曇領域４の輪郭線２３の内側に隣接して並行するように配線されるヒータ線２である。
【００２５】
本実施形態の防曇ミラー１においては、第一防曇領域３の第二防曇領域４に近接する側の端部領域３０に配線された、輪郭線２１とその内側（上側）を隣接して並行する輪郭内側並行線２４とは、上述した基準ピッチよりも長ピッチをおいて配線されている。ここで、第一防曇領域３の端部領域３０以外の近接しない非近接領域３１に配線された、輪郭線２１とその内側を隣接して並行する輪郭内側並行線２４とは、上述した基準ピッチをおいて配線されている。なお、第一防曇領域３は、この端部領域３０と非近接領域３１とから構成される。この端部領域３０は、第一防曇領域３の４分の１から５分の１程度の領域であることが望ましい。
【００２６】
また、本実施形態の防曇ミラー１においては、くびれ防曇領域５に配線された、輪郭線２２とその内側を隣接して並行する輪郭内側並行線２５とは、上述した基準ピッチよりも長ピッチをおいて配線されている。
【００２７】
また、本実施形態の防曇ミラー１においては、第二防曇領域４の第一防曇領域３に近接する側の端部領域４０に配線された、輪郭線２３とその内側（下側）を隣接して並行する輪郭内側並行線２６とは、上述した基準ピッチよりも長ピッチをおいて配線されている。ここで、第二防曇領域４の端部領域４０以外の近接しない非近接領域４１に配線された、輪郭線２３とその内側を隣接して並行する輪郭内側並行線２６とは、上述した基準ピッチをおいて配線されている。なお、第二防曇領域４は、この端部領域４０と非近接領域４１とから構成される。この端部領域４０は、第二防曇領域４の４分の１から５分の１程度の領域であることが望ましい。
【００２８】
また、本実施形態においては、第一防曇領域３と第二防曇領域４の輪郭線２１，２３の内側部分の領域には、上方に開口するコ字状を左右に複数並べると共に隣接するコ字状の上端同士を直線又は曲線で繋いだ模様に、ヒータ線２が配線されている。
【００２９】
第一防曇領域３では、下端部の端部領域３０に配線された輪郭内側並行線２４が、右に行くほど上方に位置する傾斜をするように配線されている。そして、その内側（上側）に配線された、上方に開口する複数のコ字状のヒータ線２は、その傾斜に沿って、右方向のものほど底辺２７が上方に位置するように配線されている。そして、端部領域３０の輪郭内側並行線２４と、その内側（上側）の複数のコ字状の底辺２７も、上述した基準ピッチよりも長ピッチをおいて配線されている。つまり、本実施形態においては、第一防曇領域３の端部領域３０は、輪郭線２１から複数のコ字状の底辺２７までの範囲を示している。なお、上方に開口する複数のコ字状の隣接する上端同士を繋ぐ曲線２８が、本実施形態では、第一防曇領域３の上端部における輪郭内側並行線２４となっている。
【００３０】
また、第二防曇領域４では、上端部の端部領域４０の輪郭線２３と、その内側（下側）に配線された、上方に開口する複数のコ字状の隣接する上端同士を繋ぐ直線２９とは、上述した基準ピッチよりも長ピッチをおいて配線されている。つまり、本実施形態においては、第二防曇領域４の端部領域４０は、輪郭線２３から複数のコ字状の上端を繋ぐ直線２９までの範囲を示している。なお、上方に開口する複数のコ字状の底辺２７が、本実施形態では、第二防曇領域４の下端部における輪郭線２３となっている。
【００３１】
上述した構成の本実施形態の防曇ミラー１では、第一防曇領域３の端部領域３０と、くびれ防曇領域５と、第二防曇領域４の端部領域４０で、輪郭線２１，２２，２３と、輪郭内側並行線２４，２５，２６とが基準ピッチよりも長ピッチをおいて配線されている。
【００３２】
このように配線したことで、第一防曇領域３の端部領域３０と、くびれ防曇領域５と、第二防曇領域４の端部領域４０でのヒータ線２の配線密度を、基準ピッチでヒータ線２が配線された非近接領域３１，４１のヒータ線２の配線密度と比べて低くできる。つまり、第一防曇領域３の端部領域３０と、くびれ防曇領域５と、第二防曇領域４の端部領域４０の単位面積当りの発熱量を抑えることができる。この第一防曇領域３の端部領域３０と、くびれ防曇領域５と、第二防曇領域４の端部領域４０の配線密度は、防曇機能を保つことができ、尚且つ防曇模様が広がりにくい単位面積あたりの発熱量で発熱できるように設定されている。そのため、本実施形態の防曇ミラー１は、この第一防曇領域３の端部領域３０とくびれ防曇領域５と第二防曇領域４の端部領域４０とで囲まれる、ヒータ線２を配線していない部分への熱の伝わりを抑制できるものとなっている。なお、上述の配線密度とは、防曇領域内に配線したヒータ線２全ての長さを足し合わせたものを、防曇領域の面積で割ったものである。
【００３３】
以上から、本実施形態の防曇ミラー１は、ミラー表面全体が曇りやすい状況において、ヒータ線２に電力を供給すれば、第一防曇領域３と第二防曇領域４の間がくびれた防曇模様６を、ミラー表面にはっきりと形成することができる。そのため、本実施形態の防曇ミラー１は、入浴者が湿度の高い浴室に入った直後から出るときまで、ミラー裏側に配線したヒータ線２の配線パターンの輪郭に極力近い防曇模様６（人の上半身）をミラー表面に表示させることができる。
【００３４】
なお、本実施形態の変更例として、第一防曇領域３や第二防曇領域４の配線パターンを、左方向又は右方向に開口するコ字状が上下に複数並ぶようにしても構わない。
【００３５】
また、本実施形態の変更例として、第一防曇領域３や第二防曇領域４を、互いに近接する側の端部領域３０，４０だけではなく、輪郭全体において、輪郭線２１，２３と輪郭内側並行線２４，２６とを、上述した基準ピッチよりも長ピッチをおいて配線されるようにしてもよい。このようにすれば、第一防曇領域３と第二防曇領域４とくびれ防曇領域５と略同じ形状の防曇模様６を形成することができ、輪郭全体がはっきりする。
【００３６】
また、本実施形態の変更例として、ヒータ線２の配置密度で単位面積あたりの発熱量を調整するのではなく、その他の手段で、単位面積あたりの発熱量を調整するようにしてもかまわない。例えば、ヒータ線２の単位長さあたりの発熱量を配置箇所によって変えたり、ヒータ線２に換えて熱湯が内側を流れる熱湯管を利用する等して、単位面積あたりの発熱量を調整してもよい。
【００３７】
続いて、図３に示す、本発明の第二実施形態の防曇ミラー１について説明する。本実施形態の防曇ミラー１は、第一実施形態とはヒータ線２の配線パターンが異なる。本実施形態の配線パターンは、その全体形状が、動物の顔と耳のシルエット模様のようになっている。
【００３８】
本実施形態の配線パターンは、円状の１つの第一防曇領域３と、第一防曇領域３より小径の円状の２つの第二防曇領域４と、この１つの第一防曇領域３と２つの第二防曇領域４を各々接続する２つのくびれ防曇領域５から構成される。この第一防曇領域３が動物の顔のシルエット模様を形成し、第二防曇領域４とくびれ防曇領域５が動物の耳のシルエット模様を形成する。
【００３９】
本実施形態では、第二防曇領域４とくびれ防曇領域５を、第一防曇領域３よりヒータ線２の配線密度（各防曇領域内に配線したヒータ線２全ての長さを足し合わせたものを、各防曇領域の面積で割ったもの）が低くなるように配線パターンを形成している。このくびれ防曇領域５と第二防曇領域４の配線密度は、防曇機能を保つことができ、尚且つ防曇模様が広がりにくい単位面積あたりの発熱量で発熱するように設定されている。
【００４０】
詳しくは、第二防曇領域４では、外郭を成す円状の輪郭線４２と、その内側の複数列の傾斜線４３とで配線パターンを形成している。この複数列の傾斜線４３は、その両端部が輪郭線４２に繋がっている。そして、第一防曇領域３では、外郭を成す円状の輪郭線３２と、その内側で格子状をなす内側線３３とで配線パターンを形成している。この内側線３３は、その両端部が輪郭線３２に繋がっている。そして、くびれ防曇領域５では、２本のヒータ線２が平行に並んだ配線パターンを形成している。この２本のヒータ線２の一端部が第二防曇領域４の輪郭線４２に繋がっていて、２本のヒータ線２の他端部が第一防曇領域３の輪郭線３２に繋がっている。
【００４１】
上述の配線パターンの本実施形態の防曇ミラー１では、図４（ａ）〜（ｃ）に示すように、動物の顔と耳のシルエット模様のような防曇模様６がミラー表面に形成される。図４（ａ）は、防曇ミラー１付近でシャワーを使用した直後の防曇模様６を示し、図４（ｂ）は、それから少し時間が経過したときの防曇模様６を示し、図４（ｃ）は、それからさらに時間が経過し、ヒータ線２の熱が最大限まで拡がった状態の防曇模様６を示す。図に示す通り、本実施形態では、時間の経過に関わらず、第一防曇領域３と第二防曇領域４の間がくびれた防曇模様６がミラー表面に形成される。
【００４２】
以上のように構成した本実施形態の防曇ミラー１では、第一防曇領域３の単位面積あたりの発熱量が、第二防曇領域４とくびれ防曇領域５の単位面積あたりの発熱量よりも大きくなっている。そのため、この第一防曇領域３は、他の防曇領域４，５と比べて防曇性能が高い部分となり、使用者が顔を映すのに好適な部分となる。
【００４３】
ここで、第一防曇領域３は発熱量が大きいが、第二防曇領域４とくびれ防曇領域５は発熱量が小さいので、本実施形態では、特徴となる耳部分がはっきりと表れた動物のシルエットの防曇模様６を、ミラー表面に形成することができる。
【００４４】
以上から、本実施形態の防曇ミラー１は、使用者の顔を映す部分の防曇性能を高くしたうえで、特徴となる耳部分がはっきりと表れた動物のシルエットの防曇模様６をミラー表面に形成することができるものとなっている。
【００４５】
以上まとめると、本発明の第一実施形態の防曇ミラー１は、第一防曇領域３と、第二防曇領域４と、第一防曇領域３と第二防曇領域４とを繋ぐくびれ防曇領域５とを設けたものである。そして、くびれ防曇領域５の単位面積あたりの発熱量を、第一防曇領域３と第二防曇領域４の単位面積あたりの発熱量よりも小さくなるように形成したことを特徴とする。
【００４６】
このような構成とすることで、本実施形態の防曇ミラー１は、くびれ防曇領域５周りの時間経過に伴う防曇模様の拡がりを抑えることができる。よって、本実施形態の防曇ミラー１は、入浴者が入浴している間、ミラー表面に、第一防曇領域３と第二防曇領域４の間がくびれた防曇模様６をはっきりと形成することができる。
【００４７】
また、本発明の第一実施形態の防曇ミラー１は、第一防曇領域３と、第二防曇領域４と、第一防曇領域３と第二防曇領域４とを繋ぐくびれ防曇領域５とを設けたものである。そして、第一防曇領域３の第二防曇領域４に近接する側の端部領域３０の単位面積あたりの発熱量と、第二防曇領域４の第一防曇領域３に近接する側の端部領域４０の単位面積あたりの発熱量とを、第一防曇領域３と第二防曇領域４の、端部領域３０，４０以外の近接しない非近接領域３１，４１の単位面積あたりの発熱量よりも小さくなるように形成したことを特徴とする。
【００４８】
このような構成とすることで、本実施形態の防曇ミラー１は、端部領域３０，４０周りの時間経過に伴う防曇模様の拡がりを抑えることができる。つまり、第一防曇領域３の防曇模様と、第二防曇領域４の防曇模様が、くびれ防曇領域５周りで重なることを抑制できる。よって、本実施形態の防曇ミラー１は、入浴者が入浴している間、ミラー表面に、第一防曇領域３と第二防曇領域４の間がくびれた防曇模様６をはっきりと形成することができる。
【００４９】
また、本発明の第一実施形態の防曇ミラー１は、第一防曇領域３と、第二防曇領域４と、第一防曇領域３と第二防曇領域４とを繋ぐくびれ防曇領域５とを設けたものである。そして、くびれ防曇領域５の単位面積あたりの発熱量と、第一防曇領域３の第二防曇領域４に近接する側の端部領域３０の単位面積あたりの発熱量と、第二防曇領域４の第一防曇領域３に近接する側の端部領域４０の単位面積あたりの発熱量とを、第一防曇領域３と第二防曇領域４の、端部領域３０，４０以外の近接しない非近接領域３１，４１の単位面積あたりの発熱量よりも小さくなるように形成したことを特徴とする。
【００５０】
このような構成とすることで、本実施形態の防曇ミラー１は、くびれ防曇領域５周りと端部領域３０，４０周り両方の時間経過に伴う防曇模様の拡がりを抑えることができる。つまり、第一防曇領域３の防曇模様と、第二防曇領域４の防曇模様が、くびれ防曇領域５周りで重なることを抑制し、さらに、くびれ防曇領域５自体の防曇模様の広がりも抑制できる。よって、本実施形態の防曇ミラー１は、入浴者が入浴している間、ミラー表面に、第一防曇領域３と第二防曇領域４の間がくびれた防曇模様６をはっきりと形成することができる。
【００５１】
また、本発明の第二実施形態の防曇ミラー１は、第一防曇領域３と、第二防曇領域４と、第一防曇領域３と第二防曇領域４とを繋ぐくびれ防曇領域５とを設けたものである。そして、くびれ防曇領域５の単位面積あたりの発熱量と、第二防曇領域４の単位面積あたりの発熱量を、第一防曇領域３の単位面積あたりの発熱量よりも小さくなるように形成したことを特徴とする。
【００５２】
このような構成とすることで、本実施形態の防曇ミラー１は、第一防曇領域３における防曇性能を高くして、この部分を使用者が顔を映す部分として好適に用いることができる。そして、くびれ防曇領域５周りと第二防曇領域４周りの時間経過に伴う防曇模様の拡がりを抑えることができる。よって、本実施形態の防曇ミラー１は、入浴者が入浴している間、使用者の顔を映す部分の防曇性能を高くしたうえで、ミラー表面に、第一防曇領域３と第二防曇領域４の間がくびれた防曇模様６をはっきりと形成することができる。
【００５３】
また、本発明の第一及び第二実施形態の防曇ミラー１は、第一防曇領域３と第二防曇領域４とくびれ防曇領域５とを、ヒータ線２を配線して設けたものである。そして、第一防曇領域３と第二防曇領域４とくびれ防曇領域５の、単位面積あたりの発熱量をヒータ線２の配線密度によって調整している。
【００５４】
このような構成とすることで、本実施形態の防曇ミラー１は、単位面積あたりの発熱量の調整をヒータ線２の配線密度を変えることで簡単に行うことができる。よって、本実施形態の防曇ミラー１は、第一防曇領域３と第二防曇領域４の間がくびれた防曇模様６を簡単に形成することができる。
【００５５】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００５６】
１      防曇ミラー
２      ヒータ線
３      第一防曇領域
４      第二防曇領域
５      くびれ防曇領域
３０    端部領域（第一防曇領域内）
４０    端部領域（第二防曇領域内）
３１    非近接領域（第一防曇領域内）
４１    非近接領域（第二防曇領域内）
【図１】
0005548142.tif 000002
【図２】
0005548142.tif 000003
【図３】
0005548142.tif 000004
【図４】
0005548142.tif 000005
【図５】
0005548142.tif 000006